(57)【要約】【課題】回転体を視認できない構成で使用者に圧迫感を感じさせることなく、回転体に触れることができないため安全であり、かつ床方向へ気流を送ることができ天井扇から直接涼風を得ることができる天井扇を提供することを目的とする。【解決手段】箱体１に空気を取り入れる吸込み口２と、高圧空気を発生するための羽根車３と羽根車３を駆動するためのモータ４で構成された高圧空気発生手段とが設けられた高圧空気発生部５と、高圧空気を気流として吹出す吹出し口６を有する気流吹出し部７と、高圧空気発生部５と気流吹出し部７を連通する連結ダクト８を３本備え、気流吹出し部７が環形状であり、高圧空気発生部５を天井に取り付けられる構成とした。【選択図】図１
2011226292.tif 000002
【特許請求の範囲】
【請求項１】
箱体に空気を取り入れる吸込み口と、高圧空気を発生するための羽根車と羽根車を駆動するためのモータで構成された高圧空気発生手段とが設けられた高圧空気発生部と、高圧空気を気流として吹出す吹出し口を有する気流吹出し部と、前記高圧空気発生部と前記気流吹出し部を連通する連結ダクトとを備え、前記気流吹出し部が環形状であり、前記高圧空気発生部を天井に取り付けられる構成としたことを特徴とする天井扇。
【請求項２】
気流吹出し部と天井の間に間隔を設けたことを特徴とする請求項１に記載の天井扇。
【請求項３】
高圧空気発生部が環形状の気流吹出し部の略中央に配置された構成であることを特徴とする請求項１または２に記載の天井扇。
【請求項４】
環形状の気流吹出し部が複数であることを特徴とする請求項１または２に記載の天井扇。
【請求項５】
気流吹出し部の環の中心が高圧空気発生部を中心とした同心円上にあることを特徴とする請求項４記載の天井扇。
【請求項６】
複数の気流吹出し部から、風が順々に吹出されることを特徴とする請求項４または５に記載の天井扇。
【請求項７】
複数の気流吹出し部の環が高圧空気発生部を中心とした同心円となるように配置されたことを特徴とする請求項４記載の天井扇。
【請求項８】
複数の気流吹出し部は、天井との間隔がそれぞれ異なるように配置されたことを特徴とする請求項７記載の天井扇。
【請求項９】
連結ダクトが複数であることを特徴とする請求項１乃至８いずれかに記載の天井扇。
【請求項１０】
気流吹出し部から吹出される気流の方向が天井に対し上下切替えられることを特徴とする請求項１乃至９いずれかに記載の天井扇。
【請求項１１】
高圧空気発生部に受電手段が設けられ、天井に既設された照明器具用の給電手段から電力を得ることができることを特徴とする請求項１乃至１０いずれかに記載の天井扇。
【請求項１２】
照明手段を設けたことを特徴とする請求項１乃至１１いずれかに記載の天井扇。
【請求項１３】
高圧空気発生部に給電手段が設けられ、前記高圧空気発生部に照明手段が取り付けられることを特徴とする請求項１２記載の天井扇。
【請求項１４】
高圧空気発生部と気流吹出し部と連結ダクトの少なくともいずれか一つが分離できることを特徴とする請求項１乃至１３いずれかに記載の天井扇。
【請求項１５】
高圧空気発生部と気流吹出し部及び連結ダクトの少なくとも一つに落下を防止する落下防止手段が設けられていることを特徴とする請求項１乃至１４いずれかに記載の天井扇。
【発明の詳細な説明】
【技術分野】
【０００１】
本発明は、天井に設置され、直接風による体感温度の減少や室内の空気の循環に使用される天井扇に関するものである。
【背景技術】
【０００２】
従来、この種の天井扇は、長板状の羽根板の一端を支持する接続部材を介して、電動機により回転する回転体に固定するものが知られている（例えば、特許文献１参照）。
【０００３】
以下、その天井扇について図９を参照しながら説明する。
【０００４】
図９に示すように、天井扇１０１の全体構成はキャノピー（上カバー）１０２と中カバー１０３と電動機の外側回転体１０４と下カバー１０５と、外側回転体１０４のホルダー１０６に動翼１０７が取り付けられているものからなり、キャノピー１０２の内部の簡易取り付け金具１０８が天井１０９にネジ止めされて天井扇１０１は吊り下げられている。
【０００５】
上記構成において、動翼１０７は回転軸を中心とする径方向に所定の角度を持って取り付けられており、電動機により動翼１０７が回転すると、動翼１０７の昇圧作用により、正方向の回転では動翼１０７の外周から天井１０９と動翼１０７の間を通った空気が下方に送風される。
【０００６】
また上記のような構成ではなく、羽根を箱体で覆って薄型化した照明器具付き天井扇も知られている（例えば、特許文献２参照）。
【０００７】
以下、その天井扇について図１０を参照しながら説明する。
【０００８】
図１０に示すように、天井扇２０１は、その本体の天面２０２が天井２０３に面しており、本体の底面２０４は照明器本体２０５に面している。本体の側面２０６には、本体の天面２０２側に寄って全周のほぼ１／４に渡る吹出し口２０７を有するとともに、本体の底面２０４側に寄って残りのほぼ３／４に渡る吸込み口２０８を有している。
【０００９】
本体の天面２０２と本体の底面２０４のほぼ中央にはベルマウス２０９が天井扇２０１を上下方向に２分するように設けられており、その２分された空間の本体の底面２０４側には、駆動モーター２１０がそのモーター回転軸２１１を本体の天面２０２側に向け本体の底面２０４にモーター取付ネジ２１２にて固着されている。ベルマウス２０９と本体の天面２０２の間にはエアーガイド２１３が設けられており、その中に遠心羽根車２１４がその吸込み側をベルマウス２０９側にしてモーター回転軸２１１に取付けられている。
【００１０】
上記構成により、駆動モーター２１０により遠心羽根車２１４が回転駆動され、これにより室内の中央部の空気が照明器本体の上方に位置する吸込み口２０８に吸い込まれる。さらにベルマウス２０９を通り、遠心羽根車２１４により吸込み、吹出しが行われ、その外周部に位置するエアーガイド２１３により案内され、吹出し口２０７から吹出される。
【先行技術文献】
【特許文献】
【００１１】
【特許文献１】特開平１１−２１０６７８号公報
【特許文献２】特開２００２−１３０１８６号公報
【発明の概要】
【発明が解決しようとする課題】
【００１２】
特許文献１の天井扇では動翼が回転するのが視認できるため、天井扇を運転する際に使用者に圧迫感を与えてしまうという課題があった。また、天井が十分高くない場合には動翼に使用者が接触して怪我をする恐れがあるため、天井が低い場所には設置しにくいという課題があった。
【００１３】
また特許文献２の天井扇では遠心羽根車が箱体で覆われているため、遠心羽根車が回転することを視認することなく使用できるため、使用者に圧迫感を与えることがない。しかし、装置の構成上吹出す気流が主に天井と平行方向に吹出されるため、床方向への気流が弱く、天井扇から直接涼風を得ることができないという課題があった。
【００１４】
そこで本発明は、上記従来の課題を解決するものであり、遠心羽根車など回転体を視認できない構成で使用者に圧迫感を感じさせることなく、回転体に触れることができないため安全であり、かつ床方向へ気流を送ることができ天井扇から直接涼風を得ることができる天井扇を提供することを目的とする。
【課題を解決するための手段】
【００１５】
そして、この目的を達成するために、本発明は、箱体に空気を取り入れる吸込み口と、高圧空気を発生するための羽根車と羽根車を駆動するためのモータで構成された高圧空気発生手段とが設けられた高圧空気発生部と、高圧空気を気流として吹出す吹出し口を有する気流吹出し部と、前記高圧空気発生部と前記気流吹出し部を連通する連結ダクトとを備え、前記気流吹出し部が環形状であり、前記高圧空気発生部を天井に取り付けられる構成としたことを特徴とする天井扇としたものであり、これにより所期の目的を達成するものである。
【発明の効果】
【００１６】
本発明によれば、回転体を視認できない構成で使用者に圧迫感を感じさせることなく、回転体に触れることができないため安全であり、かつ床方向へ気流を送ることができ天井扇から直接涼風を得ることができる。
【図面の簡単な説明】
【００１７】
【図１】本発明の実施の形態１の天井扇の断面を示す構成図
【図２】同天井扇の天井から見た斜視図
【図３】同天井扇の床面から見た斜視図
【図４】同天井扇と照明手段を示す斜視図
【図５】同天井扇と照明手段の接続を示す斜視図
【図６】同天井扇の気流吹き出し部の断面を示す構成図
【図７】本発明の実施の形態２の天井扇の斜視図
【図８】本発明の実施の形態３の天井扇の斜視図
【図９】従来技術の一例を示す概略図
【図１０】従来技術の一例を示す側断面図
【発明を実施するための形態】
【００１８】
本発明の請求項１記載の天井扇は、箱体に空気を取り入れる吸込み口と、高圧空気を発生するための羽根車と羽根車を駆動するためのモータで構成された高圧空気発生手段とが設けられた高圧空気発生部と、高圧空気を気流として吹出す吹出し口を有する気流吹出し部と、前記高圧空気発生部と前記気流吹出し部を連通する連結ダクトとを備え、前記気流吹出し部が環形状であり、前記高圧空気発生部を天井に取り付けられる構成としたことを特徴とする天井扇である。
【００１９】
これにより、回転体を視認できない構成であるため、使用者に圧迫感を感じさせることがない。また回転体に触れることができないため安全である。また、気流の方向を任意に設定できるため、床方向へ気流を送ることで天井扇から直接涼風を得ることができる。
【００２０】
また、気流吹出し部と天井の間に間隔を設けたことを特徴とするものであり、気流吹出し部と天井の間に間隔を設けたことで、天井と気流吹出し部の間を空気が通過できるため、吹出し口から吹出される気流に誘引される気流が、環の外側だけでなく、天井と気流吹出し部の間から環形状の気流吹出し部の環の中を通る風路で、環の内側でも吹出し口から吹出される気流に誘引される気流が起こるため、効率よく気流を送ることができる。
【００２１】
また、高圧空気発生部が環形状の気流吹出し部の略中央に配置された構成であることを特徴とするものであり、高圧空気発生部を環形状の気流吹出し部の略中央に配置する構成とすることで気流吹出し部と高圧空気発生部の距離が均一になり、環形状の気流吹出し部の環の中を通る気流を均一に流すことができる。
【００２２】
また、環形状の気流吹出し部が複数であることを特徴とするものであり、直径の小さい環の気流吹出し部を複数配置することで、一つで直径を大きくした場合と比較して、広範囲にムラが少なく風を送ることができる。
【００２３】
また、気流吹出し部の環の中心が高圧空気発生部を中心とした同心円上にあることを特徴とするものであり、高圧空気発生部と気流吹出し部の距離が均一となり、各々の気流吹出し部から吹出す気流を均一にできる。
【００２４】
また、複数の気流吹出し部から、風が順々に吹出されることを特徴とするものであり、少ないエネルギーで広範囲に風を送ることができる。
【００２５】
また、複数の気流吹出し部の環が高圧空気発生部を中心とした同心円となるように配置されたことを特徴とするものであり、一つで直径を大きくした場合と比較して、環中央部の風速が小さくなることを抑制し環の外周近傍の風速とほぼ同じにできるため、均一な風を送ることができる。
【００２６】
また、複数の気流吹出し部は、天井との間隔がそれぞれ異なるように配置されたことを特徴とするものであり、環内部の風路断面積の減少を防ぐことにより、天井近傍の気流の誘引を促進し、風量または風速を大きい状態で気流を使用者に送ることができる。
【００２７】
また、連結ダクトが複数であることを特徴とするものであり、気流吹出し部に供給する高圧空気の量を連結ダクトの長さやダクト断面積で制御できるため、風速分布を使用者の目的に合わせて設定することができる。
【００２８】
気流吹出し部から吹出される気流の方向が天井に対し上下切替えられることを特徴とするものであり、気流の方向が床方向であれば、夏場涼風を使用者に提供することができ、天井方向であれば、冬場使用者にドラフト感を感じさせることなく室内空気の撹拌を行うことができる。
【００２９】
また、高圧空気発生部に受電手段が設けられ、天井に既設された照明器具用の給電手段から電力を得ることができることを特徴とするものであり、天井扇を特別な工具や技術なく簡易に天井に設置できる。
【００３０】
また、照明手段を設けたことを特徴とするものであり、照明が従来設置されている場所に、照明の機能を保持した状態で天井扇を設置することができる。
【００３１】
また、高圧空気発生部に給電手段が設けられ、前記高圧空気発生部に照明手段が取り付けられることを特徴とするものであり、新たな受電手段を設置する必要がなく、簡易に照明を天井扇に設置することができる。
【００３２】
また、高圧空気発生部と気流吹出し部と連結ダクトの少なくともいずれか一つが分離できることを特徴とするものであり、収納する際にはコンパクトに収納でき、分解できることで清掃などのメンテナンスを容易に行うことができる。
【００３３】
また、高圧空気発生部と気流吹出し部及び連結ダクトの少なくとも一つに落下防止手段が設けられていることを特徴とするものであり、高圧空気発生部と気流吹出し部と連結ダクトの少なくともいずれか一つが分離できる場合にそれぞれが落下して使用者が怪我をする、または落下により天井扇が破損することを防止することができる。
【００３４】
以下、本発明の実施の形態について図面を参照しながら説明する。
【００３５】
（実施の形態１）
図１に本発明の実施の形態１の天井扇の断面を示す構成図、図２に同天井扇の天井から見た斜視図、図３に同天井扇の床面から見た斜視図、図４に同天井扇と照明を示す斜視図、図５に同天井扇と照明の接続を示す斜視図、図６に同天井扇の気流吹き出し部の断面を示す構成図を示す。
【００３６】
まず、実施の形態１の構成について説明する。
【００３７】
本発明の実施の形態１の天井扇は、図１から図６に示すように、箱体１に空気を取り入れる吸込み口２と、高圧空気を発生するための羽根車３と羽根車３を駆動するためのモータ４で構成された高圧空気発生手段とが設けられた高圧空気発生部５と、高圧空気を気流として吹出す吹出し口６を有する気流吹出し部７と、高圧空気発生部５と気流吹出し部７を連通する連結ダクト８を３本備え、気流吹出し部７が環形状であり、高圧空気発生部５を天井に取り付けられる構成である。
【００３８】
ここで高圧空気発生部５は、重量が比較的重いため、直接天井に取り付けられる構成としており、環形状の気流吹出し部７の略中央に配置され、３本の連結ダクト８の長さはほぼ同じとしている。
【００３９】
また、高圧空気発生部５に受電手段１０が設けられ、天井に既設された照明器具用の給電手段から電力を得ることができる。また、高圧空気発生部５に給電手段１１が設けられ、高圧空気発生部５に照明手段１２が取り付けられることができる。
【００４０】
これにより、天井扇を特別な工具や技術なく簡易に天井に設置できるとともに、今まで照明手段１２が設置されている場所に、照明手段１２の機能を保持した状態で天井扇を設置することができるものである。
【００４１】
次に、実施の形態１の動作を示す。
【００４２】
モータ４が駆動して羽根車３を回転させることで、高圧空気発生部５によって吸込み口２から吸い込まれた空気が昇圧されて、吹出し口６から高圧空気を高速噴流に変換して空間に放出する。図６に示すように吹出し口６から噴出される高速噴流が気流吹出し部７の壁面に沿って空気が流れると付着噴流の誘引効果により周辺の空気が空気の粘性によって巻き込まれて多くの風量が天井から離れた箇所で流れるものである。
【００４３】
ここで、気流吹出し部７と天井の間に間隔を設けたことで、気流吹出し部７が、周辺から空気を誘引するため、環の外側だけでなく、天井と気流吹出し部７の間から環形状の気流吹出し部７の環の中を通る風路で、環の内側でも吹出し口から吹出される気流に誘引される気流が起こるため、効率よく気流を送ることができる。
【００４４】
ここで、気流吹出し部７から吹出される気流の方向が天井に対し上下切替えられるように気流吹出し部７が分離できるように構成されており、取り付け方向を変更して自在に設置できるようになっている。
【００４５】
また、図１に示すように気流吹出し部７に落下を防止するための落下防止手段９が設けられており、チェーン等の落下防止手段９により、気流吹出し部７と天井が接続されている。この落下防止手段９により万一地震等で高圧空気発生部５の天井への取付けが外れた場合でも落下を防止でき、使用者の安全を確保できる。
【００４６】
なお、本実施の形態では、連結ダクト８を３本の構成で説明したが、連結ダクト８の本数は２〜４が好ましい。１本では気流吹出し部７の支持が片持ちとなり不安定で、５本以上では、気流吹出し部７の環内部の気流通過面積が小さくなり風量が低下してしまう。
【００４７】
（実施の形態２）
実施の形態２において、実施の形態１と同様の構成要素については同一の符号を付し、その詳細な説明は省略する。
【００４８】
図７に本発明の実施の形態２の天井扇の斜視図を示す。
【００４９】
実施の形態２は、３個の環形状の気流吹出し部７を箱体１の周辺に配置する構成である。つまり、箱体１の周辺に直径の小さい環の気流吹出し部７を３個配置するものである。そして、気流吹出し部７の環の中心が、箱体１を中心とした同心円（図中の破線）上にあるものである。
【００５０】
次に、実施の形態２の動作を示す。
【００５１】
直径の小さい環の気流吹出し部７を３個構成することにより、破線で示した同心円の大きさの環の一つの気流吹出し部７に比べて、広範囲にムラが少なく風を送ることができる。
【００５２】
また高圧空気発生部５から連結ダクト８を経て３個の環形状の気流吹出し部７へ送る風を同時には送らないように制御し、気流吹出し部７から風が順々に吹出されるようにしてもよい。
【００５３】
これにより、全体の気流感を高く保持することができる。そして、気流吹出し部７を一つで構成して、直径を大きくした場合と比較して、広範囲にムラが少なく風を送ることができるものである。
【００５４】
（実施の形態３）
実施の形態３において、実施の形態１および実施の形態２と同様の構成要素については同一の符号を付し、その詳細な説明は省略する。
【００５５】
図８に本発明の実施の形態３の天井扇の斜視図を示す。
【００５６】
実施の形態３の構成について説明する。
【００５７】
実施の形態３の天井扇は、２個の気流吹出し部７の環が高圧空気発生部５を中心とした同心円となるように配置されたものである。ここで、２個の気流吹出し部７が、天井との間隔がそれぞれ異なるように、すなわち、環の径が大きい外側の気流吹出し部７が上、環の径が小さい内側の気流吹出し部７が下になるように配置している。
【００５８】
また、中心に配置した高圧空気発生部５から気流吹出し部７に高圧空気を供給する連結ダクト８を複数（図では各３本）設けており、この本数は実施の形態１と同様に２〜４本が好ましい。
【００５９】
次に、実施の形態３の動作を示す。
【００６０】
まず上側で外側の、環の径が大きい気流吹出し部７の吹出し口６から環の中の外側に風速の大きい風速分布を持つ気流が吹出され、次に下側で内側の、環の径が小さい気流吹出し部７の吹出し口６から環の中央部に風速の大きい風速分布を持つ気流が吹出され、この二つの気流が混合されることにより、環中央部の風速が小さくなることを抑制できるため、均一な風を送ることができる。すなわち、気流吹出し部７の環の直径が大きくなると、誘引気流が環の中央部付近では発生しにくいため、径が小さい環と組み合わせることにより、環中央部の風速が小さくなることを抑制できる。
【００６１】
また、環の径が大きい外側の気流吹出し部７が上、環の径が小さい内側の気流吹出し部７が下になるように配置しているため、床に近い環の径が小さい気流吹出し部７の吹出し口６から吹出される環の中央部に風速の大きい風速分布を持つ気流を使用者に風速が大きい状態で送ることができ、床から遠い環の径が大きい気流吹出し部７の吹出し口６から吹出される環の中の外側に風速の大きい風速分布を持つ気流を使用者に風速が小さい状態で送ることができる。
【００６２】
このように環の直径の異なる気流吹出し部７を上下に配置することで吹出す風速分布を変更でき、使用者の目的に合わせて設定することができるものである。
【産業上の利用可能性】
【００６３】
本発明にかかる天井扇は、使用者に回転体が視認できないため、使用者に圧迫感を与えることなく室内空気の撹拌、使用者への涼風の提供ができるため、住宅用の室内空気の撹拌を目的に使用される各種送風機器等として有用である。
【符号の説明】
【００６４】
１      箱体
２      吸込み口
３      羽根車
４      モータ
５      高圧空気発生部
６      吹出し口
７      気流吹出し部
８      連結ダクト
９      落下防止手段
１０    受電手段
１１    給電手段
１２    照明手段
１０１  天井扇
１０２  キャノピー
１０３  中カバー
１０４  外側回転体
１０５  下カバー
１０６  ホルダー
１０７  動翼
１０８  簡易取り付け金具
１０９  天井
２０１  天井扇
２０２  天面
２０３  天井
２０４  底面
２０５  照明器本体
２０６  側面
２０７  吹出し口
２０８  吸込み口
２０９  ベルマウス
２１０  駆動モーター
２１１  モーター回転軸
２１２  モーター取付ネジ
２１３  エアーガイド
２１４  遠心羽根車
【図１】
2011226292.tif 000003
【図２】
2011226292.tif 000004
【図３】
2011226292.tif 000005
【図４】
2011226292.tif 000006
【図５】
2011226292.tif 000007
【図６】
2011226292.tif 000008
【図７】
2011226292.tif 000009
【図８】
2011226292.tif 000010
【図９】
2011226292.tif 000011
【図１０】
2011226292.tif 000012